(57)【要約】【課題】ネットワークを介したデータ伝送の制御を行うネットワーク装置及び設定データ入力制御方法に関し、簡単な構成により設定データの転送、設定を可能とする。【解決手段】ネットワークに接続してデータ伝送制御を行うネットワーク装置２０，５０及び設定データの入力方法であって、ＩＣタグ２４，５４と、ネットワーク制御部２１，５１と、装置管理部２２，５２と、ＩＣタグ２４，５４に対して設定データの書き込み及び読み出しの制御を可能とするＩＣタグＩ／Ｆ部２３，５３とを含む構成を有し、一方のネットワーク装置２０のＩＣタグ２４に保持している設定データを、他方のネットワーク装置５０のＩＣタグＩ／Ｆ部５３によりＲＦＩＤ通信により読み取って、装置管理部５２に設定可能とする。【選択図】図５
2010103658.tif 000002
【特許請求の範囲】
【請求項１】
ネットワークに接続してデータ伝送制御を行うネットワーク装置に於いて、
データの書き込み及び読み出しが可能のＩＣタグと、
前記ネットワークに接続してデータ伝送制御を行うネットワーク制御部と、
設定データを保持して前記ネットワーク制御部により前記ネットワークを介してデータ伝送制御を行わせる装置管理部と、
前記ＩＣタグに対して前記設定データの書き込み及び読み出しの制御を可能とするＩＣタグＩ／Ｆ部と
を備えたことを特徴とするネットワーク装置。
【請求項２】
前記ＩＣタグＩ／Ｆ部は、他の装置の前記ＩＣタグとの間の無線通信による前記設定データの転送制御を行う構成を有することを特徴とする請求項１記載のネットワーク装置。
【請求項３】
ネットワークに接続してデータ伝送制御を行うネットワーク装置の設定データの書き込み及び読み出し制御を行う設定データ入力制御方法に於いて、
前記ネットワーク装置は、ＩＣタグと、該ＩＣタグに対して前記設定データの書き込み及び読み出しを制御するＩＣタグＩ／Ｆ部とを備え、前記設定データを前記ＩＣタグＩ／Ｆ部を介して前記ＩＣタグに書き込んで保持し、該ＩＣタグに保持した前記設定データを保守端末又は他のネットワーク装置のＩＣタグＩ／Ｆ部により読み出す過程を含む
ことを特徴とする設定データ入力制御方法。
【請求項４】
既設の前記ネットワーク装置の前記ＩＣタグに保持されている設定データを、該既設の前記ネットワーク装置と交換する新設のネットワーク装置のＩＣタグＩ／Ｆ部により読み取り、該設定データを装置管理部に設定すると共に、ＩＣタグに書き込む過程を含むことを特徴とする請求項３記載の設定データ入力制御方法。
【発明の詳細な説明】
【技術分野】
【０００１】
本発明は、ネットワークに接続してデータ伝送制御を行うルータ等のネットワーク装置及び交換した時の新たなネットワーク装置に対する設定データの入力を簡単に行う設定データ入力制御方法に関する。
【背景技術】
【０００２】
インターネット等のネットワークを介して端末装置等が各種のデータを送受信する場合に、ルータ等のネットワーク装置を介して行うシステム構成が一般的であり、その場合のネットワーク装置は、データ伝送制御の為の各種の設定データ等を保持している。従って、既設のネットワーク装置を保守等の為に新たなネットワーク装置と交換した場合、既設のネットワーク装置の設定データを、新たなネットワーク装置に入力して設定する必要がある。その場合の従来例について、図１０を参照して説明する。同図に於いて、２００は保守端末、３００はネットワーク、１０１はネットワーク制御部、１０２は装置管理部、１０３はシリアル通信部、２０１はネットワーク制御部、２０２は装置管理部、２０３はシリアル通信部、２０４はシリアル通信用のケーブル、２０５はＴｅｌｎｅｔ通信用のケーブルを示す。なお、ケーブル２０４，２０５は何れか一方を用いるものである。
【０００３】
ネットワーク装置１００の設定データは、装置管理部１０２のメモリ（図示せず）によって保持されているもので、その設定データに従って、ネットワーク制御部１０１はネットワーク３００を介してデータ伝送制御を行うものであり、このネットワーク装置１００を他の新たなネットワーク装置（図示せず）と交換する場合、ネットワーク装置１００のシリアル通信部１０３と保守端末２００のシリアル通信部２０３とをケーブル２０４で接続するか、又はネットワーク装置１００のネットワーク制御部１０１と保守端末２００のネットワーク制御部２０１とをケーブル２０５で接続する。例えば、ケーブル２０４を使用する場合、ネットワーク装置１００の装置管理部１０２に保持している設定データを、シリアル通信部１０３とケーブル２０４と保守端末２００のシリアル通信部２０３とを介してシリアル通信により、保守端末２００の装置管理部２０２へ転送して保持する。又はネットワーク制御部１０１とケーブル２０５とを介して保守端末２００のネットワーク制御部２０１との間でＴｅｌｎｅｔ通信（ＴＣＰ／ＩＰ）により設定データを転送して装置管理部２０２に保持する。ネットワーク装置１００の装置管理部１０２に保持していた設定データを保守端末２００の装置管理部２０２へ転送した後、ネットワーク装置１００を新たなネットワーク装置に交換し、保守端末２００の装置管理部２０２に保持した設定データを、新たなネットワーク装置へ転送して保持させる。
【０００４】
又図１１に示すように、既設のネットワーク装置１００と交換する新たなネットワーク装置４００とを、ケーブルの差替として示すように、シリアル通信用のケーブルでシリアル通信部１０３，４０３間を接続して、装置管理部１０２から装置管理部４０２へ設定データを転送するか、又はネットワーク制御部１０１，４０１間をＴｅｌｎｅｔ通信用のケーブルで接続して、装置管理部１０２から装置管理部４０２へ設定データを転送することにより、装置管理部１０２の設定データを、保守端末２００を介することなく、直接的に、新たなネットワーク装置４００の装置管理部４０２へ転送して設定することも可能であった。
【０００５】
又従来のネットワーク装置の保守手段として、ルータ等のネットワーク機器（ネットワーク装置）のコンフィギュレーション情報を含む設定情報（設定データ）を、ネットワーク機器管理装置からネットワークを介してネットワーク機器保守装置に転送し、このネットワーク機器保守装置に於いて保持すると共に、ネットワーク機器（ネットワーク装置）に設定し、その後に、ネットワーク機器保守装置は、ネットワーク機器（ネットワーク装置）の設定情報を監視し、変更された場合に、それまで保持していた設定情報（設定データ）を、変更された設定情報（設定データ）に更新すると共に、ネットワークを介してネットワーク機器管理装置に報告する手段が提案されている（例えば、特許文献１参照）。
【特許文献１】特開２００２−１９０８０９号公報
【発明の開示】
【発明が解決しようとする課題】
【０００６】
インターネット等のネットワークに接続してデータ伝送制御を行うルータやレイヤ２スイッチ等のネットワーク装置を交換する場合や、既設のネットワーク装置の保守作業を行う場合、保守者は、ログ収集を行う為に、予め、そのネットワーク装置の利用者からログインＩＤとパスワードとを入手しておき、そのログインＩＤとパスワードとを用いてログインすることが必要となる場合が一般的である。その場合に、ネットワーク装置の利用者からのログインＩＤとパスワードとが、セキュリティ上の観点から、簡単に入手できないことがあり、作業開始に要する時間が長くなる問題がある。又ネットワーク装置と保守端末とを接続する為に、専用の接続ケーブルを必要とする場合があり、その接続ケーブルがネットワーク装置の近傍に用意されていないと、その接続ケーブルを取り寄せる為に要する時間を必要とする問題もある。又保守時に、ネットワーク装置の電源がオンとならない場合があり、その場合は、保守用の部品が揃うまで、ネットワーク装置の設定データを含む各種のデータを読出すことができないので、保守作業に要する時間が長くなる問題がある。
【０００７】
又ネットワーク装置の交換を行う場合、予め設定データをネットワーク監視手段等から入手するか、又は既設のネットワーク装置の装置管理部に保持されている設定データを読出すことにより入手するかによって、その設定データを、新設のネットワーク装置の装置管理部に設定することができるが、その場合に、既設のネットワーク装置と新設のネットワーク装置との２台分の電源が用意されている必要がある。しかし、このような電源が用意されていない場合が多く、従って、ネットワーク装置の保守作業及び交換作業の迅速化が阻害されている問題がある。なお、前述の特許文献によるネットワーク装置の保守は、総ての電源は正常で、ネットワーク等を介して設定データの保守等を行うもので、装置電源については考慮されていない。又ネットワーク装置の交換の場合の問題点についても考慮されていない。
【０００８】
本発明は、前述の従来の問題点を解決するもので、ネットワーク装置の保守又は交換時に、保守端末又は交換する新たなネットワーク装置１台分の電源があれば、既設のネットワーク装置の設定データの読出し及び設定データの書き込みを可能とし、保守又は装置交換を容易にするものである。
【課題を解決するための手段】
【０００９】
本発明のネットワーク装置は、ネットワークに接続してデータ伝送制御を行うネットワーク装置であって、データの書き込み及び読み出しが可能のＩＣタグと、ネットワークに接続してデータ伝送制御を行うネットワーク制御部と、設定データを保持してネットワーク制御部により、ネットワークを介してデータ伝送制御を行わせる装置管理部と、ＩＣタグに対して設定データの書き込み及び読み出しの制御を可能とするＩＣタグＩ／Ｆ部とを含む構成を備えている。
【００１０】
又前記ＩＣタグＩ／Ｆ部は、他の装置のＩＣタグとの間の無線通信による設定データの転送制御を行う構成を備えている。
【００１１】
又本発明の設定データ入力制御方法は、ネットワークに接続してデータ伝送制御を行うネットワーク装置の設定データの書き込み及び読み出し制御を行う設定データ入力制御方法であって、前記ネットワーク装置は、ＩＣタグと、このＩＣタグに対して設定データの書き込み及び読み出しを制御するＩＣタグＩ／Ｆ部とを備え、設定データをＩＣタグＩ／Ｆ部を介してＩＣタグに書き込んで保持し、このＩＣタグに保持した前記設定データを保守端末又は他のネットワーク装置のＩＣタグＩ／Ｆ部により読み出す過程を含むものである。
【００１２】
又既設のネットワーク装置のＩＣタグに保持されている設定データを、この既設のネットワーク装置と交換する新設のネットワーク装置のＩＣタグＩ／Ｆ部により読み取り、この読み取った設定データを、自ネットワーク装置の装置管理部に設定すると共に、ＩＣタグに書き込む過程を含むものである。
【発明の効果】
【００１３】
ネットワーク装置の保守点検等によるネットワーク装置の交換時に、既設のネットワーク装置と新設のネットワーク装置とを直接的にケーブルにより接続する必要がなく、且つ両方のネットワーク装置の動作電源設備がない場合でも、一方のネットワーク装置の動作電源のみあれば、ＩＣタグとＩＣタグＩ／Ｆ部とにより、無線で設定データの移し変えが可能であり、ＩＣタグとＩＣタグＩ／Ｆ部とは小型であると共に、高価な部品ではないから、経済的に作業の簡素化と必要時間の短縮とを図ることできる利点がある。
【発明を実施するための最良の形態】
【００１４】
本発明のネットワーク装置は、図５を参照して説明すると、ネットワークに接続してデータ伝送制御を行うネットワーク装置２０，５０であって、データの書き込み及び読み出しが可能のＩＣタグ２４，５４と、ネットワークに接続してデータ伝送制御を行うネットワーク制御部２１，５１と、設定データを保持してネットワーク制御部２１，５１により、ネットワークを介してデータ伝送制御を行わせる装置管理部２２，５２と、ＩＣタグ２４，５４に対して設定データの書き込み及び読み出しの制御を可能とするＩＣタグＩ／Ｆ部２３，５３とを含む構成を備えている。
【００１５】
本発明の設定データ入力制御方法は、ネットワークに接続してデータ伝送制御を行うネットワーク装置２０，５０の設定データの書き込み及び読み出し制御を行う設定データ入力制御方法であって、ネットワーク装置２０，５０は、ＩＣタグ２４，５４と、このＩＣタグ２４，５４に対して設定データの書き込み及び読み出しを制御するＩＣタグＩ／Ｆ部２３，５３とを備え、設定データをＩＣタグＩ／Ｆ部２３，５３を介してＩＣタグ２４，５４に書き込んで保持し、このＩＣタグ２４，５４に保持した設定データを保守端末又は他のネットワーク装置のＩＣタグＩ／Ｆ部により読み出す過程を含むものである。
【実施例１】
【００１６】
図１は、本発明の実施例１の要部説明図であり、２０はネットワーク装置、３０は保守端末、４０はネットワーク、２１はネットワーク制御部、２２は装置管理部、２３はＩＣタグＩ／Ｆ部、２４はＩＣタグ、３１は装置管理部、３２はＩＣタグＩ／Ｆ部を示す。ネットワーク装置２０は、ネットワーク制御部２１と、装置管理部２２と、ＩＣタグＩ／Ｆ部２３と、ＩＣタグ２４とを主要部として備えた構成を有するものであり、ネットワーク４０と接続しているネットワーク制御部２１及び装置管理部２２は、従来例のネットワーク制御部１０１及び装置管理部１０２と同様な機能を有するもので、ネットワーク４０と接続したネットワーク制御部２１は、装置管理部２２に保持されている設定データを基にデータ伝送制御を行うものである。その設定データを、必要に応じて、ＩＣタグＩ／Ｆ部２３を介してＩＣタグ２４に転送して保持する。
【００１７】
ＩＣタグ２４は、ＲＦＩＤ（Ｒａｄｉｏ  Ｆｒｅｑｕｅｎｃｙ  Ｉｄｅｎｔｉｆｉｃａｔｉｏｎ）として各種データの書き込み、読み出しを、非接触の状態で可能とした構成を有するもので、無線送受信機能と動作電源再生機能と制御機能とデータ記憶機能とを含む半導体集積回路チップであり、無線送受信機能の一部の構成のアンテナは、内蔵又は外付けとした構成を有し、又動作電源再生機能は、アンテナによる無線の受信波により誘起した電力を内部回路の動作用として直流電圧に変換して利用する構成を有するものである。又データの書き込み、読み出しの為の無線送受信機能の使用周波数帯は、数１００ｋＨｚ〜数ＧＨｚの範囲で選択されており、例えば、超高周波帯の２．４５ＧＨｚを使用する構成も知られている。又通信可能距離は、使用周波数及びアンテナ構成によって異なり、一般的には数ｃｍ〜数ｍ程度である。又データ記憶機能として、書き込みデータを保持できるメモリを設けるもので、このメモリは、フラッシュメモリや、ＦＲＡＭ（Ｆｅｒｒｏｅｌｅｃｔｒｉｃ  Ｒａｎｄｏｍ  Ａｃｃｅｓｓ  Ｍｅｍｏｒｙ）を適用した構成が知られている。このようなメモリの記憶容量は、数ｋＢ〜数１０ｋＢであるが、更に大容量化が図られている。従って、装置管理部２２又はネットワーク制御部２１に於いて保持しているネットワーク４０に対するデータ伝送に必要な設定データ等の各種のデータを、ＩＣタグＩ／Ｆ部２３を介してＩＣタグ２４に書き込んで保持させることが可能であり、又このＩＣタグ２４に書き込んだ設定データをＩＣタグＩ／Ｆ部２３により読出して、装置管理部２２に設定することも可能である。なお、ＩＣタグＩ／Ｆ部２３とＩＣタグ２４との間は、それぞれのアンテナを近接固定配置して、ＩＣタグＩ／Ｆ部２３から無線による動作電力の供給と、相互間に於けるデータの送受信が可能の構成とすることができる。又ＩＣタグ２４は、他の装置からの無線通信による電流力供給を受けてデータの送受信動作を行うことも可能である。
【００１８】
又保守端末３０は、装置管理部３１とＩＣタグＩ／Ｆ部３２とを含む構成を有し、ＩＣタグＩ／Ｆ部３２は、ネットワーク装置２０のＩＣタグ２４に保持されている設定データを、ＲＦＩＤ通信として示すように、ネットワーク装置２０のＩＣタグ２４と、保守端末３０のＩＣタグＩ／Ｆ部３２との無線送受信機能により非接触の状態で読取り、その設定データを保守端末３０の装置管理部３１により保持し、他のネットワーク装置のＩＣタグに対して、装置管理部３１に保持した設定データを、ＩＣタグＩ／Ｆ部３２の無線送受信機能により転送することが可能である。又保守端末３０の装置管理部３１に保持した設定データが正常であるか否かを解析する為に、試験装置等へ転送することも可能である。
【００１９】
又ネットワーク装置２０の動作電源はオフ状態でも、設定データを保持しているＩＣタグ２４に対して、保守端末３０のＩＣタグＩ／Ｆ部３２による無線通信によって読み取ることが可能であり、同様に、保守端末３０の装置管理部３１に保持した設定データを、ＩＣタグＩ／Ｆ部３２から、ネットワーク装置２０の動作電源がオフ状態であっても、ＩＣタグ２４に無線通信によって書き込むことができる。又保守端末３０は、小型化が可能であり、且つ消費電力も少ない構成とすることが可能であるから、バッテリ搭載により外部電源不要の構成とすれば、保守端末３０の動作電源の確保は不要であり、且つネットワーク装置の動作電源はオフ状態でも設定データの読み取り及び書込みが可能となり、ネットワーク装置２０の設定データの正常性確認等の保守点検及びネットワーク装置の交換時の新旧ネットワーク装置に対する動作電源の確保も不要となり、保守端末３０とネットワーク装置２０との相互間の接続ケーブルも不要となる。
【００２０】
図２は、本発明の実施例１のネットワーク装置と保守端末との構成を示すものであり、２０はネットワーク装置、３０は保守端末、１は装置管理／制御部、２はネットワーク制御部、３はメモリ、４はＲＦＩＤリーダ／ライタ、５は電源制御部、６，７はモード設定用のスイッチ、８はＩＣタグ、９は転送完了通知部、１０は保守端末の各部を制御するプロセッサ（ＣＰＵ）、１１はメモリ、１２はモデム、１３はＲＦＩＤリーダ／ライタを示す。図１に示す構成と対応させると、ネットワーク装置２０に於いて、ネットワーク制御部２１はネットワーク制御部２に対応し、装置管理部２２は装置管理／制御部１とメモリ３と転送完了通知部９とに対応し、ＩＣタグＩ／Ｆ部２３はＲＦＩＤリーダ／ライタ４と電源制御部５とスイッチ６，７とに対応し、ＩＣタグ２４はＩＣタグ８に対応する。又保守端末３０に於いて、装置管理部３１はプロセッサ１０とメモリ１１とモデム１２とに対応し、ＩＣタグＩ／Ｆ部３２はＲＦＩＤリーダ／ライタ１３に対応する。
【００２１】
ネットワーク装置２０のＩＣタグ８は、電源制御部５からの動作電源供給により動作することも、保守端末３０のＲＦＩＤリーダ／ライタ１３からの無線による動作電源供給により動作することも可能であり、スイッチ６，７によりＩＣタグ８の動作モードを設定する場合を示す。例えば、スイッチ６によるモードは、図３の（Ａ）に示すように、読込モードと書込モードと通常モードとの何れかであり、例えば、通常モードは、電源制御部５によるＩＣタグ８の電源制御をソフトウェアにより実行し、ＲＦＩＤリーダ／ライタ４もソフトウェアにより制御するモードである。又スイッチ７により選択するモードは、図３の（Ｂ）に示すように、ＩＣタグＯＮとＩＣタグＯＦＦとの何れかである。
【００２２】
図４は、本発明の実施例１のネットワーク装置の設定データ読み取り過程を含むフローチャートを示し、図２に示す構成を参照して説明する。ネットワーク装置２０のスイッチ６は通常モード、スイッチ７はＩＣタグＯＦＦのモードに選択した通常状態とし（Ａ１）、ネットワーク装置２０の装置管理／制御部１は、必要データをＲＦＩＤリーダ／ライタ４によりＩＣタグ８に書き込む（Ａ２）。それにより、ネットワーク装置２０の設定データをＩＣタグ８に書き込み保存する。保守作業を行う作業者は、ネットワーク装置２０のスイッチ７をＩＣタグＯＮのモードに切り替え（Ａ３）、保守端末３０のＲＦＩＤリーダ／ライタ１３を起動してリードモードに設定する（Ａ４）。この保守端末３０をネットワーク装置２０に近づけて、ネットワーク装置２０のＩＣタグ８に対する保守端末３０のＲＦＩＤリーダ／ライタ１３の無線通信範囲内に設置する（Ａ５）。保守端末３０のプロセッサ（ＣＰＵ）１０は、ＲＦＩＤリーダ／ライタ１３を制御し、ネットワーク装置２０のＩＣタグ８との間の無線通信により、そのＩＣタグ８に保持されているデータを読み込む（Ａ６）。保守端末３０のプロセッサ１０は、ＩＣタグ８からのデータを読み込んで、メモリ１１に書き込む（Ａ７）。それによって、保守端末３０は、ネットワーク装置２０の設定データを読み取ったことになり、例えば、図示を省略したモデム等を使用して、データ解析者にその設定データを伝送して解析依頼を行うことができる。（Ａ８）．
【実施例２】
【００２３】
図５は、本発明の実施例２の要部説明図であり、２０、５０はネットワーク装置、２１，５１はネットワーク制御部、２２，５２は装置管理部、２３，５３はＩＣタグＩ／Ｆ部、２４，５４はＩＣタグを示す。一方のネットワーク装置２０を既設又は入替元の装置とし、他方のネットワーク装置５０を交換用の新しい装置又は入替先装置として、以下説明をすると、前述のように、既設のネットワーク装置２０のＩＣタグ２４には、システム運用中に保存された設定データが含まれているから、交換用のネットワーク装置５０のＩＣタグＩ／Ｆ部５３が既設のネットワーク装置２０のＩＣタグ２４との間の無線通信が可能の距離に配置し、交換用のネットワーク装置５０は、（電源オン）として示すように、その動作電源はオン状態、既設のネットワーク装置２０は、（電源ＯＦＦ）として示すように、その動作電源はオフとした場合、交換用のネットワーク装置５０の装置管理部５２により制御されるＩＣタグＩ／Ｆ部５３によって、既設のネットワーク装置２０のＩＣタグ２４に保持されている設定データを、ＲＦＩＤ通信で読み書きとして示すように、無線通信により読み取って、装置管理部５２内のメモリに設定することができる。反対に、一方のネットワーク装置２０のＩＣタグ２４に対して、他方のネットワーク装置５０のＩＣタグＩ／Ｆ部５３により、設定データを書き込むことも可能である。
【００２４】
図６及び図７は、図５に示す一方の既設のネットワーク装置２０を入替元装置、他方の新設のネットワーク装置５０を入替先装置として、設定データの転送制御処理のフローチャートを示し、図２も参照して、ステップ（Ｂ１）〜（Ｂ１５）について説明する。一方の入替元装置（ネットワーク装置２０）は電源オンの通常状態、即ち、スイッチ６は通常モード、スイッチ７はＩＣタグＯＦＦに設定した通常状態であり（Ｂ１）、他方の入替先装置（ネットワーク装置５０）は電源オフ状態で、交換作業を行う作業者は、電源オフ状態の入替元装置（ネットワーク装置５０）のスイッチ６を書込モードにセットする（Ｂ２）。ネットワーク装置の動作電源オンの状態に於いては、その装置管理／制御部１により、所定の周期でスイッチ６，７の状態を監視するもので、入替元装置のスイッチ６を通常モードから、ステップ（Ｂ２）に於いて書込モードに設定状態の変化が生じる。この書込モードの間は、ＩＣタグ８の電源が入らないように電源制御部５を制御し、又ＲＦＩＤリーダ／ライタ４を有効にする（Ｂ３）
【００２５】
次に、作業者は、入替先装置（ネットワーク装置５０）のスイッチ７をＩＣタグＯＮに切替え、入替先装置のＩＣタグ８を動作可能状態とする（Ｂ４）。次に、作業者は、入替先装置（ネットワーク装置５０）と入替元装置（ネットワーク装置２０）とを、ＲＦＩＤリーダ／ライタ４による無線通信が可能の範囲に接近させる（Ｂ５）。そして、入替元装置の装置管理／制御部１は、ＲＦＩＤリーダ／ライタ４を制御し、入替先装置との無線通信により、入替先装置のＩＣタグ８へ設定データを書き込む（Ｂ６）。この設定データ書き込み完了により、入替元装置の装置管理／制御部１は、ＲＦＩＤリーダ／ライタ４を制御して、新設設定データ書き込み済みのフラグをＯＮとし、それを入替先装置のＩＣタグ２４に書き込み、転送完了通知部９の機能を動作させて、作業者に通知する（Ｂ７）。
【００２６】
入替元装置（ネットワーク装置２０）の装置管理／制御部１は、ＲＦＩＤリーダ／ライタ４の機能を無効に設定し（Ｂ８）、次に、入替元装置の装置管理／制御部１は、スイッチ６を通常モードに設定する（Ｂ９）。作業者は、入替先装置のスイッチ７をＩＣタグＯＦＦに設定し（Ｂ１０）、入替元装置の装置管理／制御部１は、スイッチ６，７の状態を読み込み、入替元装置のＩＣタグ２４の電源を自由に制御できるように設定し（Ｂ１１）、作業者は、入替元装置（ネットワーク装置２０）と入替先装置（ネットワーク装置５０）と入れ替える（Ｂ１２）。この入れ替え作業が完了すると、入替先装置の電源を投入する（Ｂ１３）。
【００２７】
入替先装置の装置管理／制御部１は、ＲＦＩＤリーダ／ライタ４を制御して、ＩＣタグ８により新規設定データ書き込み済みのフラグを読み込み、そのフラグがＯＮ（設定データ書き込み済み）かＯＦＦかを判定し、ＯＮならば、ＩＣタグ８から設定データを読み込み、メモリ３へ設定データを書き込み、ＩＣタグ８内のフラグをＯＦＦとして起動する。又フラグがＯＮかＯＦＦかを判定した時にＯＦＦであれば、メモリ３から設定データを読み込む（Ｂ１４）。そして、入替先装置（ネットワーク装置５０）の装置管理／制御部１は、読み込んだ設定データの妥当性をチェックした後、ネットワーク制御部２に設定する（Ｂ１５）。従って、保守端末３０を介在させることなく、既設（入替元）のネットワーク装置２０から新設（入替先）のネットワーク装置５０に対して、設定データを転送して設定することができる。
【００２８】
図８及び図９は、図５に示す一方の既設のネットワーク装置２０を入替元装置、他方の新設のネットワーク装置５０を入替先装置として、設定データの転送制御処理のフローチャート示し、図２も参照して、ステップ（Ｃ１）〜（Ｃ１２）について説明する。前述の図６及び図７に示す実施例と反対に、一方の入替元装置（ネットワーク装置２０）は電源オフ、他方の入替先装置（ネットワーク装置５０）は電源オンの状態とした場合について示し、スイッチ６は通常モード、スイッチ７はＩＣタグＯＦＦに設定した通常状態であり（Ｃ１）、作業者は、入替先装置（ネットワーク装置５０）のスイッチ６を読込モードに設定する（Ｃ２）。入替元装置の装置管理／制御部１は、前述のように、定期的にスイッチ６，７の設定状態を監視するものであるから、スイッチ６による読込モードへの設定状態の変化を検出すると、この読込モード設定状態の間は、入替元装置のＩＣタグ８の電源供給が発生しないように設定制御する。又入替先装置のＲＦＩＤリーダ／ライタ４を有効とする（Ｃ３）。
【００２９】
作業者は、入替元装置のスイッチ７をＩＣタグＯＮに設定し、入替元装置のＩＣタグ８に動作電源が入るように設定し（Ｃ４）、入替先装置と入替元装置とを接近させて、一方のＩＣタグＩ／Ｆ部と他方のＩＣタグとの間が無線通信（ＲＦＩＤ通信）の範囲内に配置する（Ｃ５）。入替先装置の装置管理／制御部１は、ＲＦＩＤリーダ／ライタ４を制御して、入替元装置のＩＣタグ８と通信して設定データを読み込む（Ｃ６）。入替先装置の装置管理／制御部１は、設定データの読み込みが完了すると、設定データをメモリ３に書き込み、転送完了通知部９の機能により、作業者に完了通知を行う（Ｃ７）。
【００３０】
入替先装置の装置管理／制御部１は、ＲＦＩＤリーダ／ライタ４を無効とし（Ｃ８）、入替元装置の装置管理／制御部１は、スイッチ６を通常モードに設定し（Ｃ９）、作業者は、入替先装置のスイッチ７をＩＣタグＯＦＦに設定し（Ｃ１０）、入替先装置の装置管理／制御部１は、スイッチ６の設定状態を読み込み、入替先装置のＩＣタグ８の電源が自由に制御可能のように設定し（Ｃ１１）、入替先装置の装置管理／制御部１は、読み込んだ設定データの妥当性をチェックした後、ネットワーク制御部２に設定する（Ｃ１２）。
【００３１】
前述のように、既設（入替元）のネットワーク装置２０と、新設（入替先）のネットワーク装置５０との何れか一方に対する電源設備が利用可能であれば、保守端末を介在させることなく、何れか一方のネットワーク装置を電源供給により動作可能状態とし、動作可能のネットワーク装置のＲＦＩＤリーダ／ライタ４を動作させて、このＲＦＩＤリーダ／ライタ４により、他方のネットワーク装置のＩＣタグ８に保持されている設定データをＲＦＩＤ通信により読み取ってネットワーク制御部２に設定することが可能であり、システムのコストダウンを図り、且つ保守作業の迅速化を図ることが可能となる。
【図面の簡単な説明】
【００３２】
【図１】本発明の実施例１の要部説明図である。
【図２】本発明の実施例１の説明図である。
【図３】本発明の実施例１のスイッチによるモード選択説明図である。
【図４】本発明の実施例１の設定データ収集のフローチャートである。
【図５】本発明の実施例２の要部説明図である。
【図６】本発明の実施例２のフローチャートである。
【図７】本発明の実施例２のフローチャートである。
【図８】本発明の実施例２のフローチャートである。
【図９】本発明の実施例２のフローチャートである。
【図１０】従来例の説明図である。
【図１１】従来例の説明図である。
【符号の説明】
【００３３】
１  装置管理／制御部
２  ネットワーク制御部
３  メモリ
４  ＲＦＩＤリーダ／ライタ
５  電源制御部
６，７  モード設定用のスイッチ
８  ＩＣタグ
９  転送完了通知部
１０  プロセッサ（ＣＰＵ）
１１  メモリ
１２  モデム
１３  ＲＦＩＤリーダ／ライタ
２０  ネットワーク装置
２１  ネットワーク制御部
２２  装置管理部
２３  ＩＣタグＩ／Ｆ部
２４  ＩＣタグ
３０  保守端末
３１  装置管理部
３２  ＩＣタグＩ／Ｆ部
４０  ネットワーク
【図１】
2010103658.tif 000003
【図２】
2010103658.tif 000004
【図３】
2010103658.tif 000005
【図４】
2010103658.tif 000006
【図５】
2010103658.tif 000007
【図６】
2010103658.tif 000008
【図７】
2010103658.tif 000009
【図８】
2010103658.tif 000010
【図９】
2010103658.tif 000011
【図１０】
2010103658.tif 000012
【図１１】
2010103658.tif 000013